(57)【要約】【課題】集中応力や疲労による破壊を防止し、増肉効率が良好で、応力に対する有効な増肉を行うことにより、継手全体の重量の増大を抑制することができる合成樹脂製曲管継手を提供することを目的とする。【解決手段】曲管継手の曲り部の外径の中心軸線が、内径の中心軸線に対して曲管の曲り部の内側寄りにずれていて、内側の厚肉部から外側の薄肉部に向けて徐々に肉厚が変化していることを特徴とする。【選択図】  図１
2005291379.tif 000002
【特許請求の範囲】
【請求項１】
曲管継手の曲り部の外径の中心軸線が、内径の中心軸線に対して曲管の曲り部の内側寄りにずれていて、内側の厚肉部から外側の薄肉部に向けて徐々に肉厚が変化していることを特徴とする合成樹脂製曲管継手。                                                  
【請求項２】
外径の中心軸線が、内径の中心軸線に対して曲管の曲り部の内側寄りに、少なくとも３．５ｍｍずれている呼び径２５０〜３００ｍｍである請求項１記載の合成樹脂製曲管継手。
【発明の詳細な説明】
【技術分野】
【０００１】
この発明は、射出成形法で製造される硬質塩化ビニル製９０度大曲エルボ等の合成樹脂製曲管継手に関するものである。
【背景技術】
【０００２】
従来、硬質塩化ビニル製の９０度大曲エルボ等の合成樹脂製曲管継手を使用した内圧のかかる配管ラインにおいては、内圧が異常に高くなったり、急激な管路の閉鎖等によるウォーターハンマー等の衝撃力が作用することにより、曲管継手の曲り部の内側に集中応力によるクラックが発生し、異常内圧や衝撃力が繰り返し作用すると、このクラックが成長して破損につながる。
【０００３】
そこで、異常内圧や衝撃力の発生が予想される配管に使用される曲管継手においては、肉厚の厚い曲管継手を使用することで対応していることが多いが、肉厚を厚くすると継手の重量が増加するためコストアップとなる。また、重量が増加すると、継手を成形するための射出成形機として、それだけ大容量射出可能な射出成形機が必要になる。
特に、呼び径２５０〜３００ｍｍの大口径の曲管継手においては、少しの肉厚の増加でも全体重量が大幅に増加するため、大容量射出可能な新たな射出成形機の導入が必要になる等の問題があった。
また、大口径の曲管継手では重量が増加すると、人力による配管施工が困難となるため、施工性が悪くなる。
【０００４】
一方、略直交する受口を持つエルボや三方継手（チーズ）の塩化ビニル製継手の場合、管内流体の脈動等による疲労によって双方の受口が交差するコーナー部に亀裂が生じ破損することがある。これを防止するため、「略直交する二つのテーパー受口の奥側に被接続管の挿入量を規定するストッパー段部を設け、各ストッパー段部の長さをそれぞれのストッパー段部の高さ寸法の３倍以上の長さとしたことを特徴とした合成樹脂製継手の受口構造。」が提案されている。そして、このような受口構造とすることで、ストッパー段部の強度を向上でき、ストッパー段部が交差するコーナー部に引張り力が作用しても発生する応力を低減でき、疲労破壊を未然に防止できることが知られている（例えば、特許文献１参照。）。
【０００５】
【特許文献１】特開平１１−３１５９８５号公報  （段落番号０００２、０００３、００１１、請求項１、図１。）
【発明の開示】
【発明が解決しようとする課題】
【０００６】
しかしながら、特許文献１に記載の上記合成樹脂製継手の受口構造においては、特許文献１の図１に示すように、管内面側の前記ストッパー段部１ａ、２ａの長さ方向寸法Ｌ１、Ｌ２を大きく設定することが必要となり、流体の流通に必要とされる一定の管路径を確保するため、エルボの場合には全体の長さをそれだけ長くしなければならなくなるし、チーズの場合には、直線方向の長さおよび分岐方向の長さを長くしなければならない。
このため、合成樹脂製継手の重量が増大してしまい、特に、呼び径が２５０〜３００ｍｍと大口径の継手では、原材料費が増大すると共に、より大型の射出成形機を用いる必要も生じて、製造コストが増大してしまうといった問題があった。また、重量が増加すると施工性が劣るという問題もあった。
【０００７】
そこで、この発明は、増肉効率が良好で、応力に対する有効な増肉を行うことにより、継手全体の重量の増大を抑制することができる合成樹脂製曲管継手を提供することを目的とする。
【課題を解決するための手段】
【０００８】
請求項１に記載のこの発明の合成樹脂製曲管継手は、曲管継手の曲り部の外径の中心軸線が、内径の中心軸線に対して曲管の曲り部の内側寄りにずれていて、内側の厚肉部から外側の薄肉部に向けて徐々に肉厚が変化していることを特徴とする。
また、請求項２に記載のこの発明の合成樹脂製曲管継手は、請求項１記載の合成樹脂製曲管継手において、外径の中心軸線が、内径の中心軸線に対して曲管の曲り部の内側寄りに、少なくとも３．５ｍｍずれている呼び径２５０〜３００ｍｍであるものである。
【発明の効果】
【０００９】
この請求項１記載の発明の合成樹脂製曲管継手においては、曲管継手の曲り部の外径の中心軸線が、内径の中心軸線に対して曲管の曲り部の内側寄りにずれていて、内側の厚肉部から外側の薄肉部に向けて徐々に肉厚が変化しているので、曲管継手の曲り部の内側の最も応力が集中し、疲労破壊の発生し易い部分を重点的に補強し、応力の集中がなく、疲労破壊の心配が少ない外側の部分に向けて徐々に薄肉にしており、厚肉化に伴う重量の増加を少なくして、集中応力および疲労による破壊を効率よく補強することができ、増肉効率が良好で、製造コストの増大を最小限とすることができる。
【００１０】
また、請求項２記載の発明の合成樹脂製曲管継手においては、呼び径が２５０〜３００ｍｍの大口径の合成樹脂製曲管継手においては、外径の中心軸線が、内径の中心軸線に対して曲管の曲り部の内側寄りに、少なくとも３．５ｍｍずれているものであり、肉厚の増加割合を低くするかまたは増加させることなく、効率よく補強することができ、継手の製造コストの増大を最小限とすることができる。
また、重量の増加が小さいことから、施工性の現状維持が計れる。
【発明を実施するための最良の形態】
【００１１】
次に、この発明を実施するための最良の形態を図面に示す実施例に基づいて説明する。
図１はこの発明の合成樹脂製曲管継手の一例を示す断面図、図２は図１のＡ−Ａ線における断面図である。
図で、１は９０度大曲エルボである合成樹脂製曲管継手で、硬質塩化ビニル樹脂を射出成形して製造されている。この曲管継手１は９０度曲り部２の両端に接着用テーパー受口部３、３が一体に形成されている。受口部３、３は曲り部２の内径の中心軸線２１に、受口部３、３の中心軸線を一致させて形成され、この受口部３、３の奥側に被接続管の挿入量を規定するストッパー段部３１が形成されている。
【００１２】
９０度曲り部２の外径の中心軸線２２は、内径の中心軸線２１より曲りの内側にずれている。このように曲り部２の外径の中心軸線２２が内径の中心軸線２１より曲りの内側にずれていることにより、図２に示すように、曲り部２の内側の厚肉部２３は外側の薄肉部２４より、中心軸線のずれた寸法分だけ肉厚となり、内側の厚肉部２３から外側の薄肉部２４に向けて徐々に肉厚が薄くなるよう変化している。
【００１３】
この例において、薄肉部２４は従来の曲管継手の曲り部の肉厚と同一肉厚または多少薄肉であってもよい。そして、曲り部２の内側の厚肉部２３の肉厚は、集中応力および疲労による破壊を防止可能な厚さとなされていればよい。
例えば、呼び径２００ｍｍ以下の曲管継手であれば、薄肉部２４の肉厚を従来の曲管継手の曲り部の肉厚と同一とし、厚肉部２３の肉厚を薄肉部２４の肉厚の１．５倍の肉厚にすればよい。
また、呼び径が２５０〜３００と大口径の曲管継手であれば、従来から強度的に安全率を高く設計されているので、厚肉部２３の肉厚を薄肉部２４の肉厚の１．３〜１．５倍の肉厚に設定し、薄肉部２４の肉厚を従来の曲管継手の曲り部よりも薄くして、継手の重量が従来の継手と略同重量となるよう薄肉部２４の肉厚を決めてもよい。
【００１４】
このような肉厚とすると、曲り部２の内側が補強され、集中応力や繰り返し応力がかかっても発生する応力が低減され、破壊されることはない。しかも、曲り部２の内側が補強されることにより曲り部２の外側への応力の影響も低減されるので、薄肉部２４の肉厚を従来の曲管継手の曲り部の肉厚より薄くすることも可能である。薄肉部２４の占める面積は曲り部２の外側に位置するため、厚肉部２３の占める面積よりはるかに広いので、薄肉部２４の肉厚を僅か減少させることでも曲管継手１の重量を大きく減少させることができる。
従って、継手重量の増加を少なくするか増加することがなくても、集中応力や繰り返し応力に対する十分な強度補強が達成される。
【００１５】
尚、この発明において、曲管継手としては、９０度大曲エルボからなる曲管継手に限られるものではなく、曲り部を有する曲管継手であればよく、例えば、６０度大曲エルボ、４５度大曲エルボ、３０度大曲エルボであってもよい。また、曲管継手がエルボ継手であってもよい。
【図面の簡単な説明】
【００１６】
【図１】この発明の合成樹脂製曲管継手の一例を示す断面図である。
【図２】図１のＡ−Ａ線における断面図である。
【符号の説明】
【００１７】
１        合成樹脂製曲管継手（９０度大曲エルボ）
２        曲り部
２１      曲り部２の内径の中心軸線
２２      曲り部２の外径の中心軸線
２３      曲り部２の内側の厚肉部
２４      曲り部２の外側の薄肉部
３        接着用テーパー受口部
３１      ストッパー段部
【図１】
2005291379.tif 000003
【図２】
2005291379.tif 000004